(57)【特許請求の範囲】
【請求項１】
次の非レガシーリソース上の物理ダウンリンク制御チャネル（ＰＤＣＣＨ）のリソース位置情報を含む媒体アクセス制御プロトコルデータユニット（ＭＡＣ  ＰＤＵ）を送るステップと、
前記次の非レガシーリソース上の前記ＰＤＣＣＨの前記リソース位置情報にしたがって、非レガシーリソース上の前記ＰＤＣＣＨの、サブフレーム上でのリソース位置の情報を決定するステップと、
ＵＥに前記サブフレームを送るステップとを含み、
前記非レガシーリソース上の前記ＰＤＣＣＨは、前記ＵＥが、前記リソース位置の前記情報にしたがって、前記非レガシーリソース上の前記ＰＤＣＣＨの、前記サブフレーム上での前記リソース位置を決定するために、前記サブフレームに含まれるデータ送信方法。
【請求項２】
前記次の非レガシーリソース上の前記ＰＤＣＣＨの前記リソース位置情報にしたがって、前記非レガシーリソース上の前記ＰＤＣＣＨの、前記サブフレーム上での前記リソース位置の情報を決定するステップは、
前記次の非レガシーリソース上の前記ＰＤＣＣＨの位置情報を生成するのに使用される予め設定された値にしたがって、前記非レガシーリソース上の前記ＰＤＣＣＨの、前記サブフレーム上での前記リソース位置の前記情報を決定するステップを含む請求項１に記載の方法。
【請求項３】
前記ＵＥが接続状態にある場合に、前記次の非レガシーリソース上の前記ＰＤＣＣＨの前記リソース位置情報にしたがって、前記非レガシーリソース上の前記ＰＤＣＣＨの、前記サブフレーム上での前記リソース位置の前記情報を決定するステップは、
前記次の非レガシーリソース上の前記ＰＤＣＣＨの位置情報を生成するのに使用されるＵＥ関連の情報および／または第１の関連情報にしたがって、前記非レガシーリソース上の前記ＰＤＣＣＨの、前記サブフレーム上での前記リソース位置の前記情報を決定するステップを含み、
前記第１の関連情報は、フレーム関連の情報、サブフレーム関連の情報、または時間スロット関連の情報を含む請求項１に記載の方法。
【請求項４】
次の非レガシーリソース上の物理ダウンリンク制御チャネル（ＰＤＣＣＨ）のリソース位置情報を含む媒体アクセス制御プロトコルデータユニット（ＭＡＣ  ＰＤＵ）を受信するステップと、
サブフレームが非レガシーリソース上の前記ＰＤＣＣＨを含み、基地局により送られた前記サブフレームを受信するステップと、
前記リソース位置情報にしたがって、前記非レガシーリソース上の前記ＰＤＣＣＨの、前記サブフレーム上でのリソース位置を決定するステップとを含むデータ受信方法。
【請求項５】
前記リソース位置情報にしたがって、前記非レガシーリソース上の前記ＰＤＣＣＨの、前記サブフレーム上での前記リソース位置を決定するステップは、
前記次の非レガシーリソース上の前記ＰＤＣＣＨの位置情報を生成するのに使用される予め設定された値にしたがって、前記非レガシーリソース上の前記ＰＤＣＣＨの、前記サブフレーム上での前記リソース位置を決定するステップを含む請求項４に記載の方法。
【請求項６】
ＵＥが接続状態にある場合に、前記リソース位置情報にしたがって、前記非レガシーリソース上の前記ＰＤＣＣＨの、前記サブフレーム上での前記リソース位置を決定するステップは、
前記次の非レガシーリソース上の前記ＰＤＣＣＨの位置情報を生成するのに使用されるＵＥ関連の情報および／または第１の関連情報にしたがって、前記非レガシーリソース上の前記ＰＤＣＣＨの、前記サブフレーム上での前記リソース位置を決定するステップを含み、
前記第１の関連情報は、フレーム関連の情報、サブフレーム関連の情報、または時間スロット関連の情報を含む請求項４に記載の方法。
【請求項７】
次の非レガシーリソース上の物理ダウンリンク制御チャネル（ＰＤＣＣＨ）のリソース位置情報を含む媒体アクセス制御プロトコルデータユニット（ＭＡＣ  ＰＤＵ）を送るように構成されている第１の送信モジュールと、
前記次の非レガシーリソース上の前記ＰＤＣＣＨの前記リソース位置情報にしたがって、非レガシーリソース上の前記ＰＤＣＣＨの、サブフレーム上でのリソース位置の情報を決定するように構成されている決定モジュールと、
ＵＥに前記サブフレームを送るように構成されている第２の送信モジュールとを含み、
前記非レガシーリソース上の前記ＰＤＣＣＨは、前記ＵＥが、前記リソース位置の前記情報にしたがって、前記非レガシーリソース上の前記ＰＤＣＣＨの、前記サブフレーム上での前記リソース位置を決定するために、前記サブフレームに含まれる基地局。
【請求項８】
前記決定モジュールは、
前記次の非レガシーリソース上の前記ＰＤＣＣＨの位置情報を生成するのに使用される予め設定された値にしたがって、前記非レガシーリソース上の前記ＰＤＣＣＨの、前記サブフレーム上での前記リソース位置の前記情報を決定するように構成されている第１の決定ユニットを含む請求項７に記載の基地局。
【請求項９】
前記決定モジュールは、
前記次の非レガシーリソース上の前記ＰＤＣＣＨの位置情報を生成するのに使用されるＵＥ関連の情報および／または第１の関連情報にしたがって、前記非レガシーリソース上の前記ＰＤＣＣＨの、前記サブフレーム上での前記リソース位置の前記情報を決定するように構成されている第２の決定ユニットを含み、
前記第１の関連情報は、フレーム関連の情報、サブフレーム関連の情報、または時間スロット関連の情報を含む請求項７に記載の基地局。
【請求項１０】
次の非レガシーリソース上の物理ダウンリンク制御チャネル（ＰＤＣＣＨ）のリソース位置情報を含む媒体アクセス制御プロトコルデータユニット（ＭＡＣ  ＰＤＵ）を受信するように構成されている第１の受信モジュールと、
サブフレームが非レガシーリソース上の前記ＰＤＣＣＨを含み、基地局により送られた前記サブフレームを受信するように構成されている第２の受信モジュールと、
前記リソース位置情報にしたがって、前記非レガシーリソース上の前記ＰＤＣＣＨの、前記サブフレーム上でのリソース位置を決定するように構成されている決定モジュールとを含むユーザ機器。
【請求項１１】
前記決定モジュールは、
前記次の非レガシーリソース上の前記ＰＤＣＣＨの位置情報を生成するのに使用される予め設定された値にしたがって、前記非レガシーリソース上の前記ＰＤＣＣＨの、前記サブフレーム上での前記リソース位置を決定するように構成されている第１の決定ユニットを含む請求項１０に記載のユーザ機器。
【請求項１２】
前記決定モジュールは、
前記非レガシーリソース上の前記ＰＤＣＣＨの位置情報を生成するのに使用されるＵＥ関連の情報および／または第１の関連情報にしたがって、前記次の非レガシーリソース上の前記ＰＤＣＣＨの、前記サブフレーム上での前記リソース位置を決定するように構成されている第２の決定ユニットを含み、
前記第１の関連情報は、フレーム関連の情報、サブフレーム関連の情報、または時間スロット関連の情報を含む請求項１０に記載のユーザ機器。
【請求項１３】
請求項１ないし６のいずれか１項の方法をプロセッサに実行させるプログラム。
【発明の詳細な説明】
【技術分野】
【０００１】
本発明の実施形態は、通信技術、特に、データ送信方法、データ受信方法、基地局およびユーザ機器に関する。
【背景技術】
【０００２】
システム性能を改善するために、既存のロングタームエボリューションネットワーク（以下、略してＬＴＥ：Ｌｏｎｇ  Ｔｅｒｍ  Ｅｖｏｌｕｔｉｏｎとする）システムでは、基地局（以下、略してｅＮｏｄｅＢとする）は、ユーザ機器（以下、略してＵＥ：Ｕｓｅｒ  Ｅｑｕｉｐｍｅｎｔとする）のチャネル状況にしたがってスケジューリングし、リソースを割り振ることがある。
【０００３】
特に、ｅＮｏｄｅＢは、各スケジューリングされたＵＥに、物理ダウンリンク共有チャネル（以下、略してＰＤＳＣＨ：Ｐｈｙｓｉｃａｌ  Ｄｏｗｎｌｉｎｋ  Ｓｈａｒｅｄ  ＣＨａｎｎｅｌとする）および対応する物理ダウンリンク制御チャネル（以下、略してＰＤＣＣＨ：Ｐｈｙｓｉｃａｌ  Ｄｏｗｎｌｉｎｋ  Ｃｏｎｔｒｏｌ  Ｃｈａｎｎｅｌとする）を送ってもよく、ここで、ＰＤＳＣＨはｅＮｏｄｅＢによりＵＥに送られるデータを運び、ＰＤＣＣＨは、ＰＤＣＣＨに対応するＰＤＳＣＨの送信フォーマットを示すために主に使用される。レガシーリソース上のＰＤＣＣＨは、周波数ドメイン上の周波数帯全体を完全に占有し、時間ドメイン上の各サブフレームの第１の時間スロットの第１の複数の直交周波数分割多重（以下、略してＯＦＤＭ：Ｏｒｔｈｏｇｏｎａｌ  Ｆｒｅｑｕｅｎｃｙ  Ｄｉｖｉｓｏｎ  Ｍｕｌｔｉｐｌｅｘｉｎｇとする）シンボルを占有し、残りのＯＦＤＭシンボルはＰＤＳＣＨの送信のために使用される。サブフレームがサポートできるＰＤＣＣＨの数は限られており、サブフレーム中でスケジューリングされるＵＥの数もまた限られているため、従来技術では、非レガシーリソース上のＰＤＣＣＨを送信するための区画からＰＤＳＣＨを送信するリソースの一部を取得している。非レガシーリソース上のＰＤＣＣＨは、周波数帯域全体を完全に占有する必要はないことから、複数のＵＥの非レガシーリソース上のＰＤＣＣＨは、サブフレームで送信されてもよく、これにより、スケジューリングされるＵＥの数を増加させてもよい。現在、あるＵＥは全周波数帯域上のレガシーリソース上でＰＤＣＣＨを受信する能力を備えている一方で、あるＵＥは、非レガシーリソース上でＰＤＣＣＨを受信する能力のみを備えている。
【発明の概要】
【発明が解決しようとする課題】
【０００４】
しかしながら、本発明者は、ＵＥがネットワークにアクセスする過程で、基地局が非レガシーリソース上のＰＤＣＣＨを使用することによりＰＤＳＣＨの制御情報を送信する場合に、ＵＥが非レガシーリソース上でＰＤＣＣＨを受信する能力のみを備えているときに、ＵＥがネットワークにアクセスできない状況が頻繁に生じることを実際に発見した。
【０００５】
本発明の実施形態は、データ送信方法、データ受信方法、基地局およびユーザ機器を提供する。
【課題を解決するための手段】
【０００６】
本発明の実施形態はデータ送信方法を提供し、データ送信方法は、非レガシーリソース上のＰＤＣＣＨの位置生成情報にしたがって、非レガシーリソース上のＰＤＣＣＨの、サブフレーム上でのリソース位置を決定するステップと、ＵＥにサブフレームを送るステップとを含み、非レガシーリソース上のＰＤＣＣＨは、ＵＥが、位置生成情報にしたがって、非レガシーリソース上のＰＤＣＣＨの、サブフレーム上でのリソース位置を決定するために、サブフレームのリソース位置に含まれる。
【０００７】
本発明の実施形態はデータ受信方法を提供し、データ受信方法は、サブフレームが非レガシーリソース上のＰＤＣＣＨを含み、基地局により送られたサブフレームを受信するステップと、非レガシーリソース上のＰＤＣＣＨの位置生成情報にしたがって、非レガシーリソース上のＰＤＣＣＨの、サブフレーム上でのリソース位置を決定するステップとを含む。
【０００８】
本発明の実施形態は基地局を提供し、基地局は、非レガシーリソース上のＰＤＣＣＨの位置生成情報にしたがって、非レガシーリソース上のＰＤＣＣＨの、サブフレーム上でのリソース位置を決定するように構成されている決定モジュールと、ＵＥにサブフレームを送るように構成されている送信モジュールとを含み、非レガシーリソース上のＰＤＣＣＨは、ＵＥが、位置生成情報にしたがって、非レガシーリソース上のＰＤＣＣＨの、サブフレーム上でのリソース位置を決定するために、サブフレームのリソース位置に含まれる。
【０００９】
本発明の実施形態はさらにユーザ機器を提供し、ユーザ機器は、サブフレームが非レガシーリソース上のＰＤＣＣＨを含み、基地局により送られたサブフレームを受信するように構成されている受信モジュールと、非レガシーリソース上のＰＤＣＣＨの位置生成情報にしたがって、非レガシーリソース上のＰＤＣＣＨの、サブフレーム上でのリソース位置を決定するように構成されている決定モジュールとを含む。
【００１０】
本発明の実施形態は別のデータ送信方法を提供し、別のデータ送信方法は、非レガシーリソース上のＰＤＣＣＨ上で、ＵＥにダウンリンク制御情報を送るステップを含み、ダウンリンク制御情報は、次の非レガシーリソース上のＰＤＣＣＨのリソース位置情報を含む。
【００１１】
本発明の実施形態は別のデータ受信方法を提供し、別のデータ受信方法は、非レガシーリソース上のＰＤＣＣＨ上で、ダウンリンク制御情報を受信するステップを含み、ダウンリンク制御情報は、次の非レガシーリソース上のＰＤＣＣＨのリソース位置情報を含む。
【００１２】
本発明の実施形態は別の基地局を提供し、別の基地局は、非レガシーリソース上のＰＤＣＣＨ上で、ＵＥにダウンリンク制御情報を送るように構成されている送信モジュールを含み、ダウンリンク制御情報は、次の非レガシーリソース上のＰＤＣＣＨのリソース位置情報を含む。
【００１３】
本発明の実施形態は別のユーザ機器を提供し、別のユーザ機器は、非レガシーリソース上のＰＤＣＣＨ上で、ダウンリンク制御情報を受信するように構成されている受信モジュールを含み、ダウンリンク制御情報は、次の非レガシーリソース上のＰＤＣＣＨのリソース位置情報を含む。
【００１４】
本発明の実施形態では、基地局は、位置生成情報を使用することにより、非レガシーリソース上のＰＤＣＣＨの、サブフレーム上でのリソース位置を決定してもよく、その後、サブフレームのリソース位置に、非レガシーリソース上のＰＤＣＣＨを配置して、サブフレームをＵＥに送り、ＵＥもまた、サブフレームの受信後に、位置生成情報を使用することにより、非レガシーリソース上のＰＤＣＣＨの、サブフレーム上でのリソース位置を決定してもよい。それゆえ、本発明の実施形態では、ＵＥが現在ネットワークにアクセスしている過程にあるのか、または、ネットワークにアクセスしているのかにかかわらず、さらに、ＵＥが非レガシーリソース上でＰＤＣＣＨを受信する能力のみを備えているのか、または、全周波数帯域上のレガシーリソース上でＰＤＣＣＨを受信する能力を備えているのかにかかわらず、基地局とＵＥの双方は、位置生成情報を使用することにより、非レガシーリソース上のＰＤＣＣＨのリソース位置を個別に決定することができ、これにより、非レガシーリソース上でＰＤＣＣＨを受信する能力のみを備えているＵＥがネットワークにアクセスできない状況を回避できる。
【００１５】
本発明の実施形態または従来技術における技術的解決策をより明確に記述するために、以下に、本実施形態または従来技術を記述するのに必要な添付の図面を簡単に紹介する。明らかなように、以下の記述における添付の図面は、本発明のいくつかの実施形態を示しているに過ぎず、当業者は、創造的な努力をすることなく、これらの添付の図面から他の図面を導き出すことができる。
【図面の簡単な説明】
【００１６】
【図１】本発明によるデータ送信方法の実施形態１のフローチャートである。
【図２】本発明によるデータ受信方法の実施形態のフローチャートである。
【図３】本発明による基地局の実施形態１の概略的な構造図である。
【図４】本発明による基地局の実施形態２の概略的な構造図である。
【図５】本発明による基地局の実施形態３の概略的な構造図である。
【図６】本発明による基地局の実施形態４の概略的な構造図である。
【図７】本発明による基地局の実施形態５の概略的な構造図である。
【図８】本発明による基地局の実施形態６の概略的な構造図である。
【図９】本発明による基地局の実施形態７の概略的な構造図である。
【図１０】本発明によるユーザ機器の実施形態１の概略的な構造図である。
【図１１】本発明によるユーザ機器の実施形態２の概略的な構造図である。
【図１２】本発明によるユーザ機器の実施形態３の概略的な構造図である。
【図１３】本発明によるユーザ機器の実施形態４の概略的な構造図である。
【図１４】本発明によるユーザ機器の実施形態５の概略的な構造図である。
【発明を実施するための形態】
【００１７】
本発明の目的、技術的解決策および利点をさらに理解しやすくするために、以下では、本発明の実施形態の添付の図面を参照して、本発明の実施形態における技術的解決策を明確かつ完全に記述する。明らかなように、記述する実施形態は、本発明の全実施形態ではなく、その一部に過ぎない。本発明の実施形態に基づいて創造的な努力をすることなく当業者により得られるその他の実施形態はすべて、本発明の保護範囲内にあるものとされる。
【００１８】
図１は、本発明によるデータ送信方法の実施形態１のフローチャートである。図１に示すように、本実施形態の方法は、以下のステップを含んでもよい：
ステップ１０１：非レガシーリソース上のＰＤＣＣＨの位置生成情報にしたがって、非レガシーリソース上のＰＤＣＣＨの、サブフレーム上でのリソースの位置を決定する。
【００１９】
ステップ１０２：ＵＥにサブフレームを送る。非レガシーリソース上のＰＤＣＣＨは、ＵＥが、位置生成情報にしたがって、非レガシーリソース上のＰＤＣＣＨの、サブフレーム上でのリソースの位置を決定するために、サブフレームのリソース位置に含まれる。
【００２０】
特に、本実施形態では、非レガシーリソース上のＰＤＣＣＨは、レガシーリソース上のＰＤＣＣＨを除く、サブフレーム上の位置に配置されたＰＤＣＣＨのことを指す。例えば、ＬＴＥ関連の標準規格で規定された拡張（ｅｎｈａｎｃｅｄ）ＰＤＣＣＨ（以下、Ｅ−ＰＤＣＣＨとする）は、非レガシーリソース上のＰＤＣＣＨである。従来技術では、ネットワークにアクセスしているＵＥ、すなわち、接続状態にあるＵＥについては、高レベルシグナリングを使用することにより、非レガシーリソース上のＰＤＣＣＨにより占有されたリソース位置を基地局がＵＥに通知してもよい一方で、何らかのＵＥに関しては、ネットワークにアクセスする過程で、アクセスするネットワークのシステム情報に対応する、非レガシーリソース上のＰＤＣＣＨのリソース位置をＵＥが知る必要があることがある。基地局は、レガシーリソースのＰＤＣＣＨに、非レガシーリソース上のＰＤＣＣＨのリソース位置の指示情報を含めてもよいため、全周波数帯域上のレガシーリソース上でＰＤＣＣＨを受信する能力を備えているＵＥは、ネットワークにアクセスする過程で、全周波数帯域上のレガシーリソース上でＰＤＣＣＨを受信し、レガシーリソース上のＰＤＣＣＨに含まれた指示情報にしたがって、非レガシーリソース上のＰＤＣＣＨのリソース位置を決定してもよい。しかしながら、非レガシーリソース上でＰＤＣＣＨを受信する能力のみを備えているＵＥは、ネットワークにアクセスする過程で、全周波数帯域上のレガシーリソース上でＰＤＣＣＨを受信することができず、非レガシーリソース上のＰＤＣＣＨのリソース位置を知ることができないので、ＵＥがネットワークにアクセスできない状況が生じる。
【００２１】
それゆえ、本実施形態では、ｅＮｏｄｅＢのような基地局は、非レガシーリソース上のＰＤＣＣＨの位置生成情報にしたがって、非レガシーリソース上のＰＤＣＣＨの、サブフレーム上でのリソースの位置を決定してもよく、位置生成情報は、基地局およびＵＥの双方によって事前に知られている情報であってもよい。例えば、基地局は、デフォルトで位置生成情報を使用することにより、非レガシーリソース上のＰＤＣＣＨの、サブフレーム上でのリソース位置を決定する一方で、ＵＥは、デフォルトで位置生成情報を使用することにより、非レガシーリソー上のＰＤＣＣＨの、サブフレーム上でのリソース位置を決定してもよい。非レガシーリソー上のＰＤＣＣＨの、サブフレーム上でのリソース位置を決定後に、基地局はＵＥにサブフレームを送ってもよく、非レガシーリソース上のＰＤＣＣＨは、サブフレーム中のリソース位置に含まれていてもよく、これにより、サブフレームを受信後に、ＵＥも、対応する位置生成情報を使用することにより、非レガシーリソース上のＰＤＣＣＨの、サブフレーム上でのリソース位置を決定できる。それゆえ、ＵＥが現在ネットワークにアクセスしている過程にあるのか、または、ネットワークにアクセスしているのかにかかわらず、さらに、ＵＥが非レガシーリソース上でＰＤＣＣＨを受信する能力のみを備えているのか、または、全周波数帯域上のレガシーリソース上でＰＤＣＣＨを受信する能力を備えているのかにかかわらず、基地局とＵＥの双方は、位置生成情報を使用することにより、非レガシーリソース上のＰＤＣＣＨのリソース位置を個別に決定することができ、これにより、非レガシーリソース上でＰＤＣＣＨを受信する能力のみを備えているＵＥがネットワークにアクセスできない状況を回避できる。
【００２２】
非レガシーリソース上のＰＤＣＣＨにより使用される位置生成情報が、同一であるかまたは異なるか否かは、本実施形態では限定されないことに留意すべきである。位置生成情報が同一である場合に、基地局は、サブフレーム上の固定のリソース位置に、非レガシーリソース上のＰＤＣＣＨを配置してもよい一方で、ＵＥもまた、受信したサブフレーム上の固定のリソース位置から非レガシーリソース上のＰＤＣＣＨを取得してもよいこと、ならびに、位置生成情報が異なる場合に、基地局は、予め設定された配置ルールにしたがって、サブフレーム上の異なるリソース位置に、異なる非レガシーリソース上のＰＤＣＣＨを配置してもよく、特定の配置ルール下では、ＵＥは事前に通知されてもよく、サブフレームの受信後に、ＵＥが、事前に知った配置ルールにしたがって、サブフレームに対応するリソース位置から非レガシーリソース上のＰＤＣＣＨを取得してもよいことが当業者により理解されるべきである。
【００２３】
本実施形態では、基地局は、位置生成情報を使用することにより、非レガシーリソース上のＰＤＣＣＨの、サブフレーム上でのリソース位置を決定してもよく、その後、サブフレームのリソース位置に、非レガシーリソース上のＰＤＣＣＨを配置して、サブフレームをＵＥに送り、ＵＥもまた、サブフレームの受信後に、位置生成情報を使用することにより、非レガシーリソース上のＰＤＣＣＨの、サブフレーム上でのリソース位置を決定してもよい。それゆえ、本実施形態では、ＵＥが現在ネットワークにアクセスしている過程にあるのか、または、ネットワークにアクセスしているのかにかかわらず、さらに、ＵＥが非レガシーリソース上でＰＤＣＣＨを受信する能力のみを備えているのか、または、全周波数帯域上のレガシーリソース上でＰＤＣＣＨを受信する能力を備えているのかにかかわらず、基地局とＵＥの双方は、位置生成情報を使用することにより、非レガシーリソース上のＰＤＣＣＨのリソース位置を個別に決定することができ、これにより、非レガシーリソース上でＰＤＣＣＨを受信する能力のみを備えているＵＥがネットワークにアクセスできない状況を回避できる。
【００２４】
特定の実装では、基地局は、以下の複数の解決策を使用することにより、非レガシーリソース上のＰＤＣＣＨの位置生成情報にしたがって、非レガシーリソース上のＰＤＣＣＨの、サブフレーム上でのリソース位置を決定してもよい：
解決策１：システムの予め設定された値を使用することにより、非レガシーリソース上のＰＤＣＣＨの、サブフレーム上でのリソース位置を決定する。
【００２５】
特に、この解決策で使用される位置生成情報は、システムの予め設定された値であり、予め設定された値は、基地局とＵＥの双方により、事前に知られているため、基地局は、予め設定された値にしたがって、非レガシーリソース上のＰＤＣＣＨの、サブフレーム上でのリソース位置を決定してもよく、それにしたがって、ＵＥもまた、サブフレームの受信後、予め設定された値にしたがって、非レガシーリソース上のＰＤＣＣＨの、サブフレーム上でのリソース位置を決定してもよい。この解決策は実現方法が単純であり、実行が容易である。
【００２６】
解決策２：ＵＥが接続状態にあるときに、ＵＥ関連の情報ならびに／あるいはフレーム、サブフレーム、または時間スロット関連の情報を使用することにより、非レガシーリソース上のＰＤＣＣＨの、サブフレーム上でのリソース位置を決定する。
【００２７】
特に、ＵＥが接続状態にある場合に、ＵＥはネットワークにアクセスしており、ＵＥは、ネットワーク側で割り振られたＵＥ関連の情報を取得しており、ＵＥ関連の情報は基地局とＵＥの双方により知られていてもよい。そのため、基地局は、ＵＥ関連の情報を位置生成情報として使用することにより、非レガシーリソース上のＰＤＣＣＨの、サブフレーム上でのリソース位置を決定してもよい。
【００２８】
この解決策では、ＵＥ関連の情報は、以下の情報のうちの少なくとも１つを含んでもよい：
ＵＥ識別子（ＵＥ−ＩＤ）、ＵＥグループ識別子（ＵＥ−グループＩＤ）、上位レベルにより通知されるＵＥ固有の値（ＵＥ固有）および上位レベルにより通知されるＵＥグループ固有の値（ＵＥグループ固有）。
【００２９】
さらに、基地局およびＵＥはまた、送信されることになるフレーム、サブフレーム、または時間スロット関連の情報を知っていることがあるため、この解決策では、基地局はさらに、フレーム、サブフレーム、または時間スロット関連の情報を使用することにより、非レガシーリソース上のＰＤＣＣＨの、サブフレーム上でのリソース位置を決定してもよい。
【００３０】
フレーム、サブフレーム、または時間スロット関連の情報は、以下の情報のうちの少なくとも１つを含んでもよい：
フレーム番号、サブフレーム番号、時間スロット番号、サブフレームグループ番号、サブフレーム期間およびサブフレームオフセット。
【００３１】
好ましくは、基地局はまた、ＵＥ関連の情報と、フレーム、サブフレーム、または時間スロット関連の情報との組み合わせを位置生成情報として使用することにより、非レガシーリソース上のＰＤＣＣＨの、サブフレーム上でのリソース位置を決定してもよい。
【００３２】
さらに、この解決策では、ＵＥが位置するセルの識別子を位置生成情報として使用してもよく、それにしたがって、基地局により使用される位置生成情報は、以下の複数の形態をとってもよい：
方法１：ＵＥ関連の情報
方法２：フレーム、サブフレーム、または時間スロット関連の情報
方法３：ＵＥ関連の情報およびセル識別子
方法４：フレーム、サブフレーム、または時間スロット関連の情報ならびにセル識別子
方法５：ＵＥ関連の情報ならびにフレーム、サブフレーム、または時間スロット関連の情報
方法６：ＵＥ関連の情報、フレーム、サブフレーム、または時間スロット関連の情報ならびにセル識別子。
【００３３】
解決策３：ＵＥがアイドル状態にあるときに、フレーム、サブフレーム、または時間スロット関連の情報を使用することにより、非レガシーリソース上のＰＤＣＣＨの、サブフレーム上でのリソース位置を決定する。
【００３４】
特に、ＵＥがアイドル状態にあるとき、すなわち、ＵＥがまだネットワークにアクセスしていないとき、または、ネットワークにアクセスする過程にあるときに、ネットワーク側で割り振られたＵＥ関連の情報をＵＥはまだ知らない。そのため、このような場合には、基地局は、フレーム、サブフレーム、または時間スロット関連の情報を使用することにより、非レガシーリソース上のＰＤＣＣＨの、サブフレーム上でのリソース位置を決定してもよい。
【００３５】
代替的に、基地局はさらに、フレーム、サブフレーム、または時間スロット関連の情報とＵＥが位置するセルの識別子との組み合わせにより、非レガシーリソース上のＰＤＣＣＨの、サブフレーム上でのリソース位置を決定してもよい。
【００３６】
本発明者はさらに、非レガシーリソース上のＰＤＣＣＨが、レガシーリソース上のＰＤＣＣＨの周波数ダイバシティ利得を失わせ、制御チャネルの信頼性低下は、レガシーリソース上のＰＤＣＣＨが全周波数帯域を占有する一方で、非レガシーリソース上のＰＤＣＣＨが周波数帯域の一部のみを占有することが主に理由となり引き起こされ得ることを実際に発見した。
【００３７】
非レガシーリソース上のＰＤＣＣＨを使用することにより制御情報を送信するときに、周波数ダイバシティ利得も得ることができるという目的を達成するために、本発明の技術的解決策では、先述の方法の実施形態に基づいて、ステップ１０１では特に：周波数ホッピング方法で、位置生成情報にしたがって、非レガシーリソース上のＰＤＣＣＨの、サブフレーム上でのリソースの位置を決定してもよく、ステップ１０２では特に：周波数ホッピング方法を使用することにより、サブフレーム上で、非レガシーリソース上のＰＤＣＣＨを送信してもよい。
【００３８】
さらに、非レガシーリソース上のＰＤＣＣＨに対応するＰＤＳＣＨについて、基地局は非レガシーリソース上のＰＤＣＣＨとＰＤＣＣＨに対応するＰＤＳＣＨとを同じ周波数ホッピング方法を使用することにより結合して、送信してもよく、非レガシーリソース上のＰＤＣＣＨは、非レガシーリソース上のＰＤＣＣＨと比較したＰＤＳＣＨの位置オフセットを示す、対応するリソース位置指示情報を含んでもよい。
【００３９】
さらに、非レガシーリソース上のＰＤＣＣＨの周波数ホッピング方法は、基地局とＵＥの双方により事前に知られてもよく、または、基地局には知られるが、ＵＥには知られないこともある。基地局が非レガシーリソース上のＰＤＣＣＨを送信する周波数ホッピング方法をＵＥが知らない場合に、基地局は、現在のフレームの非レガシーリソース上のＰＤＣＣＨに、次の非レガシーリソース上のＰＤＣＣＨのリソース位置情報を含めて、これにより、次の非レガシーリソース上のＰＤＣＣＨのリソース位置をＵＥに示してもよく、または、基地局は、ＵＥに送る無線リソース制御（以下、略してＲＲＣ：Ｒａｄｉｏ  Ｒｅｓｏｕｒｃｅ  Ｃｏｎｔｒｏｌとする）メッセージに、次の非レガシーリソース上のＰＤＣＣＨのリソース位置情報を含めてもよい。非レガシーリソース上のＰＤＣＣＨの最初の位置は、先行する実施形態の位置生成情報を使用することにより取得されてもよい。
【００４０】
非レガシーリソース上のＰＤＣＣＨとＰＤＳＣＨとを結合した周波数ホッピング方法を使用することにより送信が行われるときに、ＵＥはダウンリンクチャネル測定を行わなくてもよく、チャネル品質情報（以下、略してＣＱＩ：Ｃｈａｎｎｅｌ  Ｑｕａｌｉｔｙ  Ｉｎｆｏｒｍａｔｉｏｎとする）をｅＮｏｄｅＢにフィードバックしなくてもよい一方で、ＰＤＳＣＨは、予め設定された変調および符号化方式（以下、略してＭＣＳ：Ｍｏｄｕｌａｔｉｏｎ  ａｎｄ  Ｃｏｄｉｎｇ  Ｓｃｈｅｍｅとする）を使用することにより、例えば、四位相偏移変調（以下、略してＱＰＳＫ：Ｑｕａｄｒａｔｕｒｅ  Ｐｈａｓｅ  Ｓｈｉｔ  Ｋｅｙｉｎｇとする）変調および１／３符号化を予め設定して使用することにより、または、ＵＥがＣＱＩを報告する方法ならびに非レガシーリソース上のＰＤＣＣＨにおけるＭＣＳドメインがＰＤＳＣＨを示してもよい変調および符号化方法を使用することにより、ダウンリンクデータを送信してもよい。
【００４１】
周波数ホッピング方法を使用することにより、非レガシーリソース上のＰＤＣＣＨを送信するときに、または、非レガシーリソース上のＰＤＣＣＨとＰＤＳＣＨとを結合して送信するときに、周波数ホッピング方法は予め規定されていてもよく、基地局は、周波数ホッピング方法を使用することにより、全周波数帯域上または周波数帯域の一部で周波数ホッピング送信を行ってもよい。特に、基地局は、周波数ホッピング方法で、位置生成情報にしたがって、非レガシーリソース上のＰＤＣＣＨの、サブフレーム上でのリソース位置を決定してもよい。
【００４２】
特定の実装では、ＵＥが接続状態にある場合に、以下の情報のうちの少なくとも１つにしたがって、周波数ホッピング方法を決定してもよい：
以下の情報のうちの少なくとも１つのタイプを含むフレーム、サブフレーム、または時間スロット関連の情報：フレーム番号、サブフレーム番号、時間スロット番号およびサブフレームグループ番号。
【００４３】
以下の情報のうちの少なくとも１つのタイプを含むＵＥ関連の情報：ＵＥ識別子、ＵＥグループ識別子、上位レベルにより通知されるＵＥ固有の値および上位レベルにより通知されるＵＥグループ固有の値。
【００４４】
システムの予め設定された値。
【００４５】
ＵＥがアイドル状態にある場合に、以下の情報のうちの少なくとも１つにしたがって、周波数ホッピング方法を決定してもよい：
以下の情報のうちの少なくとも１つのタイプを含むフレーム、サブフレーム、または時間スロット関連の情報：フレーム番号、サブフレーム番号、時間スロット番号およびサブフレームグループ番号。
【００４６】
システムの予め設定された値。
【００４７】
代替的に、ＵＥがアイドル状態または接続状態にあるかにかかわらず、ＵＥは周波数ホッピング方法を決定するときにセル識別子をさらに使用してもよい。
【００４８】
さらに、周波数ホッピング方法を予め設定するときに、レガシー（以下、略してレガシーとする）ＵＥのリソースブロックグループ（以下、略してＲＢＧ：Ｒｅｓｏｕｒｃｅ  Ｂｌｏｃｋ  Ｇｒｏｕｐとする）をできる限り短い長さにするようにＵＥを構成してもよく、このため、リソースブロック（以下、略してＲＢ：Ｒｅｓｏｕｒｃｅ  Ｂｌｏｃｋとする）の浪費を回避できる。例えば、ＵＥによりサポートされる帯域幅が６ＲＢである場合に、ＲＢＧの数が１、２および３であったときに、周波数ホッピングの開始点は、レガシーＵＥのＲＢＧの開始点と整列させるべきである。ＲＢＧの数が４であったときには、周波数ホッピングの開始点をレガシーＵＥのＲＢＧの第１の物理リソースブロック（以下、略してＰＲＢ：Ｐｈｙｓｉｃａｌ  Ｒｅｓｏｕｒｃｅ  Ｂｌｏｃｋとする）または第２のＰＲＢまたは第３のＰＲＢの開始点と整列させるべきである。
【００４９】
周波数ホッピング方法を予め設定する手段は、周波数ホッピング方法を記述するのに使用される周波数ホッピング式を予め設定することであってもよい。非レガシーリソース上のＰＤＣＣＨの周波数ホッピング式の例を以下に示す。サブフレーム番号ｎｓｕｂｆｒａｍｅ上での非レガシーリソース上のＰＤＣＣＨの周波数ホッピングの開始点のＰＲＢは、以下の式により決定される：
【数１】
0005937699.tif 000002
【数２】
0005937699.tif 000003
【数３】
0005937699.tif 000004
【数４】
0005937699.tif 000005
ここで、ＵＥがＵＥ−ＩＤを有していないとき、あるいは、ＵＥがアイドル状態にあるか、または、初期アクセス手順でＵＥ−ＩＤをまだ取得していないときに、ｎ０は、ＵＥ−ＩＤ、ＵＥ−グループＩＤ、あるいは、上位レベルにより指定されたＵＥ固有の値またはＵＥグループ固有の値であるか、もしくは、システムの予め設定された値、または、所定の数から得されるＵＥ−ＩＤの係数（ｍｏｄｕｌｕｓ）であってもよい。ｎ０を導入することにより、複数のＵＥの制御情報およびデータ情報を狭帯域内に集中させ、これにより、リソース使用率を改善し、非レガシーリソース上のＰＤＣＣＨがＰＤＳＣＨリソースを多数のフラグメントに分割するのを回避できる。これにより、基地局は、時間周波数リソースの浪費を生じさせるように、レガシーＵＥをスケジューリングできなくなる。
【００５０】
ＮＲＢｓｂは、サブバンドに含まれるＲＢの数であり、この式では、サブバンドは帯域幅全体の中で周波数ホッピングを行う。ＮＲＢｓｂは、例えば、６ＲＢのような、ＵＥによりサポートされる最大帯域幅に対応したＲＢの数であってもよい。ＮＲＢｓｂが１に設定されている場合に、周波数ホッピング式はＲＢを粒度（ｇｒａｎｕｌａｒｉｔｙ）としてスケジューリングを行う。Ｎｓｂは、サブバンドの数であり、その値は以下の通りである：
【数５】
0005937699.tif 000006
ｃ（・）は、擬似ランダムシーケンスであり、フレームフォーマット番号１に関して、以下の式により擬似ランダムシーケンス生成器が初期化される：
【数６】
0005937699.tif 000007
ここで、ＮＩＤｃｅｌｌは、セル識別子である。フレームフォーマット番号２に関して、以下の式により擬似ランダムシーケンス生成器が初期化される：
【数７】
0005937699.tif 000008
ここで、ｎｆは、システムフレーム番号である。この式では、サブバンドが帯域幅全体の中で周波数ホッピングを行い、ｆｍ（・）がサブバンドミラーイメージ（ｓｕｂｂａｎｄ  ｍｉｒｒｏｒ  ｉｍａｇｅ）周波数ホッピングの開始点を決定し、ｆｈｏｐ（・）がサブバンド周波数ホッピングのオフセットを決定する。
【００５１】
異なる需要およびシステム計画にしたがって、当業者は周波数ホッピング式を独立的に設計してもよいことを理解すべきである。
【００５２】
さらに、基地局が周波数ホッピング方法を使用することによりサブフレームを送った後に、基地局はさらに、ＵＥにより報告されたＣＱＩにしたがって、次のサブフレームにおける非レガシーリソース上のＰＤＣＣＨのリソース位置を調整してもよい。
【００５３】
特に、ＵＥは、以下の３つの方法を使用することにより、ダウンリンクチャネル測定を行ってもよい：
１．非レガシーリソース上のＰＤＣＣＨが位置するサブバンド上で測定を行い、ＣＱＩを取得し、基地局にシーケンシャルにＣＱＩを報告する。
【００５４】
２．非レガシーリソース上のＰＤＣＣＨが位置するサブバンド上で測定を行い、時間期間内のＣＱＩを取得し、その後、最良のまたはより良好な複数個のＣＱＩを基地局に報告する。
【００５５】
３．予め設定された時間内のサブバンドの信号雑音比（以下、信号雑音比、ＳＮＲとする）を平均し、平均ＳＮＲを取得し、その後、平均ＣＱＩを取得し、平均ＣＱＩを基地局に報告する。
【００５６】
ＵＥにより報告されたＣＱＩの受信後に、基地局は、以下の複数の方法を使用することにより、次のサブフレームにおける非レガシーリソース上のＰＤＣＣＨのリソース位置を調整してもよい：
方法１：ＵＥによって報告されたサブバンドのＣＱＩにしたがって、最良のチャネル品質およびより良好なチャネル品質を有する複数のサブバンドのうちの１つまたは複数のサブバンドを決定し、そのサブバンド上で、次の非レガシーリソース上のＰＤＣＣＨおよび次の非レガシーリソース上のＰＤＣＣＨに対応するＰＤＳＣＨを送信する。
【００５７】
いったん、基地局が、最良のサブバンドのチャネル品質が低下していることを検出すると、基地局は、周波数ホッピング方法を再度使用することにより、次の非レガシーリソース上のＰＤＣＣＨのリソース位置を決定するよう要求され、その際、周波数ホッピング過程で、基地局は、さらに、ＵＥにより報告されたＣＱＩにしたがって最良のサブバンドを再度サーチしてもよい。チャネル品質の低下は、ＵＥにより報告されたＣＱＩまたはハイブリッド自動再送要求（以下、略してＨＡＲＱ：Ｈｙｂｒｉｄ  Ａｕｔｏｍａｔｉｃ  Ｒｅｐｅａｔ  Ｒｅｑｕｅｓｔとする）の回数にしたがって判断されてもよい。
【００５８】
さらに、基地局がＵＥにより報告されるＣＱＩを受信していない初期段階では、ＰＤＳＣＨの位置は、所定のアルゴリズムにより取得されてもよく、アルゴリズムの入力変数は、上位レベルにより予め設定された値であり、ブロードキャストにより構成または予め設定されたＭＣＳであってもよく、または、アルゴリズム／基地局のセルカバレッジのような要素にしたがって基地局によりおおまかに選択されたＭＣＳであってもよいことに留意すべきである。
【００５９】
方法２：ＵＥにより報告されたＣＱＩにしたがって、縮小された周波数ホッピング範囲を決定し、周波数ホッピング方法を使用することにより縮小された周波数ホッピング範囲中の次の非レガシーリソース上のＰＤＣＣＨのリソース位置を決定し、スケジューリング方法を使用することにより縮小された周波数ホッピング範囲中の次の非レガシーリソース上のＰＤＣＣＨに対応するＰＤＳＣＨのリソース位置を決定する。
【００６０】
ＵＥにより報告された各サブバンドのＣＱＩを基地局が取得した後に、非レガシーリソース上のＰＤＣＣＨの周波数ホッピング範囲は縮小することがある、すなわち、サブバンドの一部が非レガシーリソース上のＰＤＣＣＨの周波数ホッピング範囲として選択される。その後、基地局は、縮小された周波数ホッピング範囲上で周波数ホッピング方法を使用することにより、次の非レガシーリソース上のＰＤＣＣＨのリソース位置を決定してもよく、縮小された周波数ホッピング範囲のサブバンド上でスケジューリング方法を使用することにより、対応するＰＤＳＣＨが送信される。送信過程において、ＵＥは継続的に縮小された周波数ホッピング範囲中のサブバンド上でのＣＱＩ報告およびチャネル測定を行ってもよい。ＰＤＳＣＨの位置は、非レガシーリソース上のＰＤＣＣＨと比較したＰＤＳＣＨのオフセットを使用することにより示されてもよい。
【００６１】
方法３：ＵＥにより報告された、サブフレームのすべてのサブバンド上のＣＱＩにしたがって、周波数ホッピング方法を使用することにより次の非レガシーリソース上のＰＤＣＣＨのリソース位置を決定し、スケジューリング方法を使用することにより次の非レガシーリソース上のＰＤＣＣＨに対応するＰＤＳＣＨのリソース位置を決定する。
【００６２】
基地局がＵＥにより報告されたＣＱＩを取得した後に、非レガシーリソース上のＰＤＣＣＨは依然として全周波数帯域の周波数ホッピング方法を採用している一方で、対応するＰＤＳＣＨは、サブフレームの全サブバンド上でスケジューリングされ、送られてもよい。送信過程において、ＣＱＩも継続して報告されてもよく、ＰＤＳＣＨの位置は、非レガシーリソース上のＰＤＣＣＨと比較したＰＤＳＣＨのオフセットを使用することにより示されてもよい。いったん、基地局が、チャネル品質が低下していることを検出すると、非レガシーリソース上のＰＤＣＣＨが周波数ホッピングにより最良のサブバンドをサーチする手順が再度実行される。
【００６３】
さらに、周波数ホッピング方法を使用することにより非レガシーリソース上のＰＤＣＣＨを送信するのと同時に、拡張（ｅｎｈａｎｃｅｄ）物理ＨＡＲＱインジケータチャネル（以下、略してＰＨＩＣＨ：Ｐｈｙｓｉｃａｌ  ＨＡＲＱ  Ｉｎｄｉｃａｔｏｒ  Ｃｈａｎｎｅｌとする）の送信に使用されるリソースが、レガシーリソース上のＰＤＣＣＨを除くＲＥ上でＵＥに対して形成（ｈｅｗ  ｏｕｔ）されてもよく、例えば、拡張ＰＨＩＣＨは、非レガシーリソース上のＰＤＣＣＨにおいてパンクチャすることにより実現されてもよく、非レガシーリソース上のＰＤＣＣＨを除く特殊なＲＥ上で実現されてもよい。拡張ＰＨＩＣＨおよび非レガシーリソース上のＰＤＣＣＨは共に結合され、周波数ホッピングによって送信されてもよい。
【００６４】
基地局がデータを送る手順は、先述の実施形態で詳細に説明した。ＵＥがデータを受信する手順を以下に詳細に説明する。
【００６５】
図２は、本発明によるデータ受信方法の実施形態のフローチャートである。図２に示すように、本実施形態の方法は以下のステップを含んでもよい。
【００６６】
ステップ２０１：基地局により送られたサブフレームを受信する。ここで、サブフレームは、非レガシーリソース上のＰＤＣＣＨを含む。
【００６７】
ステップ２０２：非レガシーリソース上のＰＤＣＣＨの位置生成情報にしたがって、非レガシーリソース上のＰＤＣＣＨの、サブフレーム上でのリソース位置を決定する。
【００６８】
本実施形態では、基地局は、図１に示した方法の実施形態を使用することによりＵＥにサブフレームを送ってもよく、ＵＥは、サブフレームの受信後、事前に知った非レガシーリソース上のＰＤＣＣＨの位置生成情報にしたがって、非レガシーリソース上のＰＤＣＣＨの、サブフレーム上でのリソース位置を決定してもよい。ここで、位置生成情報は、基地局およびＵＥの双方によって事前に知られている情報であってもよい。例えば、基地局は、デフォルトで位置生成情報を使用することにより、非レガシーリソース上のＰＤＣＣＨの、サブフレーム上でのリソース位置を決定する一方で、ＵＥは、デフォルトで位置生成情報を使用することにより、非レガシーリソー上のＰＤＣＣＨの、サブフレーム上でのリソース位置を決定してもよい。それゆえ、ＵＥが現在ネットワークにアクセスしている過程にあるのか、または、ネットワークにアクセスしているのかにかかわらず、さらに、ＵＥが非レガシーリソース上でＰＤＣＣＨを受信する能力のみを備えているのか、または、全周波数帯域上のレガシーリソース上でＰＤＣＣＨを受信する能力を備えているのかにかかわらず、基地局とＵＥの双方は、位置生成情報を使用することにより、非レガシーリソース上のＰＤＣＣＨのリソース位置を個別に決定することができ、これにより、非レガシーリソース上でＰＤＣＣＨを受信する能力のみを備えているＵＥがネットワークにアクセスできない状況を回避できる。
【００６９】
本実施形態では、基地局により送られたサブフレームの受信後に、ＵＥは、位置生成情報を使用することにより、非レガシーリソース上のＰＤＣＣＨの、サブフレーム上でのリソース位置を決定してもよい。それゆえ、本実施形態では、ＵＥが現在ネットワークにアクセスしている過程にあるのか、または、ネットワークにアクセスしているのかにかかわらず、さらに、ＵＥが非レガシーリソース上でＰＤＣＣＨを受信する能力のみを備えているのか、または、全周波数帯域上のレガシーリソース上でＰＤＣＣＨを受信する能力を備えているのかにかかわらず、基地局とＵＥの双方は、位置生成情報を使用することにより、非レガシーリソース上のＰＤＣＣＨのリソース位置を個別に決定することができ、これにより、非レガシーリソース上でＰＤＣＣＨを受信する能力のみを備えているＵＥがネットワークにアクセスできない状況を回避できる。
【００７０】
特定の実装では、ＵＥは、以下の複数の解決策を使用することにより、非レガシーリソース上のＰＤＣＣＨの位置生成情報にしたがって、非レガシーリソース上のＰＤＣＣＨの、サブフレーム上でのリソース位置を決定してもよい：
解決策１：システムの予め設定された値を使用することにより、非レガシーリソース上のＰＤＣＣＨの、サブフレーム上でのリソース位置を決定する。
【００７１】
特に、この解決策で使用される位置生成情報は、システムの予め設定された値であり、予め設定された値は、基地局とＵＥの双方により事前に知られているため、ＵＥはまた、予め設定された値の受信後に、予め設定された値にしたがって、非レガシーリソース上のＰＤＣＣＨの、サブフレーム上でのリソース位置を決定してもよい。この解決策は実現方法が単純であり、実行が容易である。
【００７２】
解決策２：ＵＥが接続状態にあるときに、ＵＥ関連の情報ならびに／あるいはフレーム、サブフレーム、または時間スロット関連の情報を使用することにより、非レガシーリソース上のＰＤＣＣＨの、サブフレーム上でのリソース位置を決定する。
【００７３】
特に、ＵＥが接続状態にある場合に、ＵＥはネットワークにアクセスしており、ＵＥは、ネットワーク側で割り振られたＵＥ関連の情報を取得しており、ＵＥ関連の情報は基地局とＵＥの双方により知られていてもよい。そのため、ＵＥは、ＵＥ関連の情報を位置生成情報として使用することにより、非レガシーリソース上のＰＤＣＣＨの、サブフレーム上でのリソース位置を決定してもよい。
【００７４】
この解決策では、ＵＥ関連の情報は、以下の情報のうちの少なくとも１つを含んでもよい：
ＵＥ−ＩＤ、ＵＥ−グループＩＤ、ＵＥ固有およびＵＥグループ固有。
【００７５】
さらに、基地局およびＵＥはまた、送信されることになるフレーム、サブフレーム、または時間スロット関連の情報を知っていることがあるため、この解決策では、ＵＥはさらに、フレーム、サブフレーム、または時間スロット関連の情報を使用することにより、非レガシーリソース上のＰＤＣＣＨの、サブフレーム上でのリソース位置を決定してもよい。
【００７６】
フレーム、サブフレーム、または時間スロット関連の情報は、以下の情報のうちの少なくとも１つを含んでもよい：
フレーム番号、サブフレーム番号、時間スロット番号、サブフレームグループ番号、サブフレーム期間およびサブフレームオフセット。
【００７７】
好ましくは、ＵＥはまた、ＵＥ関連の情報と、フレーム、サブフレーム、または時間スロット関連の情報との組み合わせを位置生成情報として使用することにより、非レガシーリソース上のＰＤＣＣＨの、サブフレーム上でのリソース位置を決定してもよい。
【００７８】
この解決策では、ＵＥが位置するセルの識別子を位置生成情報として使用してもよく、それにしたがって、ＵＥにより使用される位置生成情報は、以下の複数の形態をとってもよい：
方法１：ＵＥ関連の情報
方法２：フレーム、サブフレーム、または時間スロット関連の情報
方法３：ＵＥ関連の情報およびセル識別子
方法４：フレーム、サブフレーム、または時間スロット関連の情報ならびにセル識別子
方法５：ＵＥ関連の情報ならびにフレーム、サブフレーム、または時間スロット関連の情報
方法６：ＵＥ関連の情報、フレーム、サブフレーム、または時間スロット関連の情報ならびにセル識別子。
【００７９】
どの方法を特に使用するかは、基地局とＵＥとの規定に依存し、本実施形態に限定されない。
【００８０】
解決策３：ＵＥがアイドル状態にあるときに、フレーム、サブフレーム、または時間スロット関連の情報を使用することにより、非レガシーリソース上のＰＤＣＣＨの、サブフレーム上でのリソース位置を決定する。
【００８１】
特に、ＵＥがアイドル状態にあるとき、すなわち、ＵＥがまだネットワークにアクセスしていないとき、または、ネットワークにアクセスする過程にあるときに、ネットワーク側で割り振られたＵＥ関連の情報をＵＥはまだ知らない。そのため、このような場合には、ＵＥは、フレーム、サブフレーム、または時間スロット関連の情報を使用することにより、非レガシーリソース上のＰＤＣＣＨの、サブフレーム上でのリソース位置を決定してもよい。
【００８２】
代替的に、ＵＥはさらに、フレーム、サブフレーム、または時間スロット関連の情報とＵＥが位置するセルの識別子との組み合わせにより、非レガシーリソース上のＰＤＣＣＨの、サブフレーム上でのリソース位置を決定してもよい。
【００８３】
非レガシーリソース上のＰＤＣＣＨを使用することにより制御情報を送信するときに、周波数ダイバシティ利得も得ることができるという目的を達成するために、基地局は、周波数ホッピング方法を使用することにより、非レガシーリソース上のＰＤＣＣＨを送信してもよく、そのため、本発明の技術的解決策では、図２に示した先述の方法の実施形態に基づいて、ステップ２０２では特に：周波数ホッピング方法で、位置生成情報にしたがって、非レガシーリソース上のＰＤＣＣＨの、サブフレーム上でのリソース位置を決定してもよい。
【００８４】
さらに、非レガシーリソース上のＰＤＣＣＨに対応するＰＤＳＣＨについて、基地局は非レガシーリソース上のＰＤＣＣＨとＰＤＣＣＨに対応するＰＤＳＣＨとを同じ周波数ホッピング方法を使用することにより結合して、送信してもよいため、ＵＥは、同じ周波数ホッピング方法を使用することにより、非レガシーリソース上のＰＤＣＣＨに対応するＰＤＳＣＨのリソース位置を決定してもよい。
【００８５】
周波数ホッピング方法を使用して送信を行うときに、基地局およびＵＥは周波数ホッピング方法を決定するのにどの位置生成情報を使用するかを規定してもよく、それにより、非レガシーリソース上のＰＤＣＣＨに対応するＰＤＳＣＨのリソース位置を決定してもよい。ここで、位置生成情報は、上述の方法を使用することにより選択されてもよいが、ここではこれ以上説明しない。
【００８６】
さらに、非レガシーリソース上のＰＤＣＣＨの周波数ホッピング方法は、基地局とＵＥの双方により事前に知られてもよく、または、基地局には知られるが、ＵＥには知られないこともある。基地局が非レガシーリソース上のＰＤＣＣＨを送信する周波数ホッピング方法をＵＥが知らない場合に、基地局は、現在のフレームの非レガシーリソース上のＰＤＣＣＨに、次の非レガシーリソース上のＰＤＣＣＨのリソース位置情報を含めて、これにより、次の非レガシーリソース上のＰＤＣＣＨのリソース位置情報をＵＥが知ってもよく、または、基地局は、ＵＥに送るＲＲＣメッセージに、次の非レガシーリソース上のＰＤＣＣＨのリソース位置情報を含めてもよい。
【００８７】
非レガシーリソース上のＰＤＣＣＨとＰＤＳＣＨとを結合した周波数ホッピング方法を使用することにより送信が行われるときに、ＵＥはダウンリンクチャネル測定を行わなくてもよく、ＣＱＩをｅＮｏｄｅＢにフィードバックしなくてもよい一方で、ＰＤＳＣＨは、予め設定されたＭＣＳを使用することにより、例えば、ＱＰＳＫ変調および１／３符号化を予め設定して使用することにより、ダウンリンクデータを送信してもよく、それにしたがって、ＵＥが予め設定されたＭＣＳまたはＵＥがＣＱＩを報告することもある変調および符号化方法を使用することによりＰＤＳＣＨを復調して復号化してもよく、基地局により送られたサブフレームでは、非レガシーリソース上のＰＤＣＣＨにおけるＭＣＳドメインがＰＤＳＣＨを示してもよい。
【００８８】
周波数ホッピング方法を使用することにより、非レガシーリソース上のＰＤＣＣＨを送信するときに、または、非レガシーリソース上のＰＤＣＣＨとＰＤＳＣＨとを結合して送信するときに、周波数ホッピング方法は予め規定されていてもよく、基地局は、周波数ホッピング方法を使用することにより、全周波数帯域上または周波数帯域の一部で周波数ホッピング送信を行ってもよい。それにしたがって、ＵＥは、周波数ホッピング方法で、位置生成情報にしたがって、非レガシーリソース上のＰＤＣＣＨの、サブフレーム上でのリソース位置を決定してもよい。
【００８９】
特定の実装では、ＵＥが接続状態にある場合に、以下の情報のうちの少なくとも１つにしたがって、周波数ホッピング方法を決定してもよい：
以下の情報のうちの少なくとも１つのタイプを含むフレーム、サブフレーム、または時間スロット関連の情報：フレーム番号、サブフレーム番号、時間スロット番号およびサブフレームグループ番号。
【００９０】
以下の情報のうちの少なくとも１つのタイプを含むＵＥ関連の情報：ＵＥ識別子、ＵＥグループ識別子、上位レベルにより通知されるＵＥ固有の値および上位レベルにより通知されるＵＥグループ固有の値。
【００９１】
システムの予め設定された値。
【００９２】
ＵＥがアイドル状態にある場合に、以下の情報のうちの少なくとも１つにしたがって、周波数ホッピング方法を決定してもよい：
以下の情報のうちの少なくとも１つのタイプを含むフレーム、サブフレーム、または時間スロット関連の情報：フレーム番号、サブフレーム番号、時間スロット番号およびサブフレームグループ番号。
【００９３】
システムの予め設定された値。
【００９４】
代替的に、ＵＥがアイドル状態または接続状態にあるかにかかわらず、ＵＥは周波数ホッピング方法を決定するときにセル識別子をさらに使用してもよい。
【００９５】
特定の実装では、周波数ホッピング式を使用することにより周波数ホッピング方法を記述してもよく、ＵＥは周波数ホッピング式にしたがって、非レガシーリソース上のＰＤＣＣＨのリソース位置を知ってもよく、特定の実装は、基地局側の実装と同じであるが、ここではこれ以上説明しない。
【００９６】
さらに、基地局が周波数ホッピング方法を使用することによりサブフレームを送った後に、基地局はさらに、ＵＥにより報告されたＣＱＩにしたがって次のサブフレームにおける非レガシーリソース上のＰＤＣＣＨのリソース位置を調整してもよい。
【００９７】
それゆえ、ＵＥは、以下の３つの方法を使用することにより、ダウンリンクチャネル測定を行ってもよい：
１．非レガシーリソース上のＰＤＣＣＨが位置するサブバンド上で測定を行い、ＣＱＩを取得し、基地局にシーケンシャルにＣＱＩを報告する。
【００９８】
２．非レガシーリソース上のＰＤＣＣＨが位置するサブバンド上で測定を行い、時間期間内のＣＱＩを取得し、その後、最良または良好な複数個のＣＱＩを基地局に報告する。
【００９９】
３．予め設定された時間内のサブバンドのＳＮＲを平均し、平均ＳＮＲを取得し、その後、平均ＣＱＩを取得し、平均ＣＱＩを基地局に報告する。
【０１００】
ＵＥにより報告されたＣＱＩの受信後に、基地局は、以下の複数の方法を使用することにより、次のサブフレームにおける非レガシーリソース上のＰＤＣＣＨのリソース位置を調整してもよい：
方法１：ＵＥによって報告されたサブバンドのＣＱＩにしたがって、最良のチャネル品質およびより良好なチャネル品質を有する複数のサブバンドのうちの１つまたは複数のサブバンドを決定し、そのサブバンド上で、次の非レガシーリソース上のＰＤＣＣＨおよび次の非レガシーリソース上のＰＤＣＣＨに対応するＰＤＳＣＨを送信する。
【０１０１】
いったん、基地局が、最良のサブバンドのチャネル品質が低下していることを検出すると、基地局は、周波数ホッピング方法を再度使用することにより、次の非レガシーリソース上のＰＤＣＣＨのリソース位置を決定するよう要求され、その際、周波数ホッピング過程で、基地局は、さらに、ＵＥにより報告されたＣＱＩにしたがって最良のサブバンドを再度サーチしてもよい。チャネル品質の低下は、ＵＥにより報告されたＣＱＩまたはＨＡＲＱの回数にしたがって判断されてもよい。
【０１０２】
方法２：ＵＥにより報告されたＣＱＩにしたがって、縮小された周波数ホッピング範囲を決定し、周波数ホッピング方法を使用することにより縮小された周波数ホッピング範囲中の次の非レガシーリソース上のＰＤＣＣＨのリソース位置を決定し、スケジューリング方法を使用することにより縮小された周波数ホッピング範囲中の次の非レガシーリソース上のＰＤＣＣＨに対応するＰＤＳＣＨのリソース位置を決定する。
【０１０３】
ＵＥにより報告された各サブバンドのＣＱＩを基地局が取得した後に、非レガシーリソース上のＰＤＣＣＨの周波数ホッピング範囲は縮小することがある、すなわち、サブバンドの一部が非レガシーリソース上のＰＤＣＣＨの周波数ホッピング範囲として選択される。その後、基地局は、縮小された周波数ホッピング範囲上で周波数ホッピング方法を使用することにより、次の非レガシーリソース上のＰＤＣＣＨのリソース位置を決定してもよく、縮小された周波数ホッピング範囲のサブバンド上でスケジューリング方法を使用することにより、対応するＰＤＳＣＨが送信される。送信過程において、ＵＥは継続的に縮小された周波数ホッピング範囲中のサブバンド上でのＣＱＩ報告およびチャネル測定を行ってもよい。ＰＤＳＣＨの位置は、非レガシーリソース上のＰＤＣＣＨと比較したＰＤＳＣＨのオフセットを使用することにより示されてもよい。
【０１０４】
方法３：ＵＥにより報告されたＣＱＩにしたがって、サブフレームのすべてのサブバンド上で、周波数ホッピング方法を使用することにより次の非レガシーリソース上のＰＤＣＣＨのリソース位置を決定し、スケジューリング方法を使用することにより次の非レガシーリソース上のＰＤＣＣＨに対応するＰＤＳＣＨのリソース位置を決定する。
【０１０５】
基地局がＵＥにより報告されたＣＱＩを取得した後に、非レガシーリソース上のＰＤＣＣＨは依然として全周波数帯域の周波数ホッピング方法を採用している一方で、対応するＰＤＳＣＨは、サブフレームの全サブバンド上でスケジューリングされ、送られてもよい。送信過程において、ＣＱＩも継続して報告されてもよく、ＰＤＳＣＨの位置は、非レガシーリソース上のＰＤＣＣＨと比較したＰＤＳＣＨのオフセットを使用することにより示されてもよい。いったん、基地局が、チャネル品質が低下していることを検出すると、非レガシーリソース上のＰＤＣＣＨが周波数ホッピングにより最良のサブバンドをサーチする手順が再度実行される。
【０１０６】
基地局の先述の３つの調整方法に基づいて、これらにしたがって、ＵＥは、ＵＥにより報告されたＣＱＩにしたがって、基地局が次の非レガシーリソース上のＰＤＣＣＨおよび次の非レガシーリソース上のＰＤＣＣＨに対応するＰＤＳＣＨのリソース位置を調整したことを知ることができるため、ＵＥは、対応するリソース位置での次の非レガシーリソース上のＰＤＣＣＨおよび次の非レガシーリソース上のＰＤＣＣＨに対応するＰＤＳＣＨのリソース位置を取得できる。
【０１０７】
さらに、周波数ホッピング方法を使用することにより非レガシーリソース上のＰＤＣＣＨを送信するのと同時に、基地局は、レガシーリソース上のＰＤＣＣＨを除くＲＥ上でＵＥに対して、拡張ＰＨＩＣＨの送信に使用されるリソースを形成してもよく、例えば、拡張ＰＨＩＣＨは、非レガシーリソース上のＰＤＣＣＨにおいてパンクチャすることにより実現されてもよく、非レガシーリソース上のＰＤＣＣＨを除く特殊なＲＥ上で実現されてもよい。拡張ＰＨＩＣＨおよび非レガシーリソース上のＰＤＣＣＨは共に結合され、周波数ホッピングによって送信されてもよい。それゆえ、ＵＥは、周波数ホッピング方法にしたがって、レガシーリソース上のＰＤＣＣＨのリソース位置を除くサブフレーム上の位置での拡張ＰＨＩＣＨのリソース位置を決定してもよい。
【０１０８】
本発明の別の実施形態では、ＵＥのアップリンク送信手順において、物理アップリンク共有チャネル（以下、略してＰＵＳＣＨ：Ｐｈｙｓｉｃａｌ  Ｕｐｌｉｎｋ  Ｓｈａｒｅｄ  Ｃｈａｎｎｅｌとする）および物理アップリンク制御チャネル（以下、略してＰＵＣＣＨ：Ｐｈｙｓｉｃａｌ  Ｕｐｌｉｎｋ  Ｃｏｎｔｒｏｌ  Ｃｈａｎｎｅｌとする）もまた、周波数ホッピング方法を使用することにより送信されてもよく、それにしたがって、基地局とＵＥの双方は、周波数ホッピング方法を使用することにより、ＰＵＳＣＨおよびＰＵＣＣＨのリソース位置を決定してもよい。
【０１０９】
ＰＵＳＣＨの周波数ホッピング式の例を以下に示す。サブバンドのサイズは、例えば、ＮＲＢｓｂ＝６ＲＢのような、ＵＥによりサポートされる最大帯域幅であってもよい。ＮＲＢｓｂ＝１である場合、スケジューリング式は、ＲＢを粒度としてスケジューリングを行ってもよい。周波数ホッピング中に、サブバンドは、帯域幅全体で周波数ホッピングを行ってもよく、ｆｍ（・）がサブバンドのミラーイメージ周波数ホッピングの開始点を決定し、ｆｈｏｐ（・）がサブバンドの周波数ホッピングのオフセットを決定する。時間スロット番号ｎｓのＰＵＳＣＨの周波数ホッピングの開始点のＰＲＢｎＰＲＢ（ｎｓ）は、以下の式により決定される：
【数８】
0005937699.tif 000009
【数９】
0005937699.tif 000010
【数１０】
0005937699.tif 000011
【数１１】
0005937699.tif 000012
【数１２】
0005937699.tif 000013
【数１３】
0005937699.tif 000014
ここで、ＮＲＢＨＯは、上位レベルにより示された値であり、ｎＶＲＢの値は、アップリンクスケジューリングの認証から導出される。Ｎｓｂはサブバンドの数であり、その値は以下の通りである：
【数１４】
0005937699.tif 000015
ｃ（・）は、擬似ランダムシーケンスであり、フレームフォーマット番号１に関して、以下の式により擬似ランダムシーケンス生成器が初期化される：
【数１５】
0005937699.tif 000016
ここでは、ＮＩＤｃｅｌｌはセルＩＤである。フレームフォーマット番号２に関して、以下の式により擬似ランダムシーケンス生成器が初期化される：
【数１６】
0005937699.tif 000017
ここで、ｎｆはシステムフレーム番号である。
【０１１０】
サブフレーム中のＵＥのＰＵＣＣＨの２つの時間スロットは、それぞれ、サブバンド全体の２つの端にあるＰＲＢを占有する。上記のＰＵＳＣＨ周波数ホッピングをわずかに修正することにより、ＰＵＣＣＨの周波数ホッピング式を得てもよい。上記の式に基づいて、以下に例を示す。
【０１１１】
ｎｓが０または偶数の場合、時間スロット番号ｎｓのＰＵＣＣＨの周波数ホッピングのＰＲＢは、以下の式により決定される：
【数１７】
0005937699.tif 000018
ｎｓが奇数の場合、時間スロット番号ｎｓのＰＵＣＣＨの周波数ホッピングのＰＲＢは、以下の式により決定される：
【数１８】
0005937699.tif 000019
図３は、本発明による基地局の実施形態１の概略的な構造図である。図３に示すように、本実施形態の基地局は、決定モジュール１１および送信モジュール２２を備えてもよく、ここで、決定モジュール１１は、非レガシーリソース上のＰＤＣＣＨの位置生成情報にしたがって、非レガシーリソース上のＰＤＣＣＨの、サブフレーム上でのリソース位置を決定するように構成され、送信モジュール１２は、ＵＥにサブフレームを送るように構成されており、ここで、非レガシーリソース上のＰＤＣＣＨは、ＵＥが、位置生成情報にしたがって、非レガシーリソース上のＰＤＣＣＨの、サブフレーム上でのリソース位置を決定するために、サブフレームのリソース位置に含まれる。
【０１１２】
本実施形態の基地局は、図１に示した方法の実施形態の技術的解決策を実行するように構成されていてもよく、本実施形態の実現の原理および技術的な効果は、方法の実施形態のものに類似しているが、ここではこれ以上説明しない。
【０１１３】
特に、決定モジュール１１は、周波数ホッピング方法で、位置生成情報にしたがって、非レガシーリソース上のＰＤＣＣＨの、サブフレーム上でのリソース位置を決定するように特に構成されていてもよく、送信モジュール１２は、周波数ホッピング方法を使用することにより、非レガシーリソース上のＰＤＣＣＨをサブフレーム上で送信するように特に構成されていてもよく、送信モジュール１２は、周波数ホッピング方法を使用することにより、非レガシーリソース上のＰＤＣＣＨに対応するＰＤＳＣＨを送信するようにさらに構成されていてもよい。
【０１１４】
本発明の基地局の先述の実施形態では、非レガシーリソース上のＰＤＣＣＨは、ＰＤＳＣＨのリソース位置指示情報をさらに含んでもよく、リソース位置指示情報は、非レガシーリソース上のＰＤＣＣＨと比較したＰＤＳＣＨの位置オフセットを示す。
【０１１５】
非レガシーリソース上のＰＤＣＣＨが、次の非レガシーリソース上のＰＤＣＣＨのリソース位置情報を含むか、または、ＵＥに送られるＲＲＣメッセージが、次の非レガシーリソース上のＰＤＣＣＨのリソース位置情報を含む。
【０１１６】
非レガシーリソース上のＰＤＣＣＨの周波数ホッピングの開始点は、レガシーＵＥのリソースブロックグループの開始点と整列される。
【０１１７】
拡張ＰＨＩＣＨは、レガシーリソースのＰＤＣＣＨのリソース位置を除くサブフレーム上の位置にさらに含まれてもよく、拡張ＰＨＩＣＨおよび非レガシーリソース上のＰＤＣＣＨは、周波数ホッピングにより共に送信される。
【０１１８】
図３に示した基地局を、複数の特定の実施形態を使用することにより以下で詳細に説明する。
【０１１９】
図４は、本発明による基地局の実施形態２の概略的な構造図である。図４に示すように、本実施形態の基地局は、図３に示した基地局に基づいており、さらに、決定モジュール１１は、非レガシーリソース上のＰＤＣＣＨの位置情報を生成するのに使用される予め設定された値にしたがって、非レガシーリソース上のＰＤＣＣＨの、サブフレーム上でのリソース位置を決定するように構成されている第１の決定ユニット１１１を含んでもよい。
【０１２０】
本実施形態の基地局は、特にリソース位置を決定するときに、図１に示した方法の実施形態で使用される解決策１を実行するように構成されていてもよく、本実施形態の実現の原理および技術的な効果は、方法の実施形態のものに類似しているが、ここではこれ以上説明しない。
【０１２１】
図５は、本発明による基地局の実施形態３の概略的な構造図であり、図５に示すように、本実施形態の基地局は、図３に示した基地局に基づいており、さらに、決定モジュール１１は、非レガシーリソース上のＰＤＣＣＨの位置情報を生成するのに使用されるＵＥ関連の情報ならびに／あるいはフレーム、サブフレーム、または時間スロット関連の情報にしたがって、非レガシーリソース上のＰＤＣＣＨの、サブフレーム上でのリソース位置を決定するように構成されている第２の決定ユニット１１２を含んでもよい。
【０１２２】
ＵＥ関連の情報は以下を含んでもよい：
以下の情報のうちの少なくとも１つのタイプ：ＵＥ識別子、ＵＥグループ識別子、上位レベルにより通知されるＵＥ固有の値および上位レベルにより通知されるＵＥグループ固有の値。
【０１２３】
フレーム、サブフレーム、または時間スロット関連の情報は以下を含む：
以下の情報のうちの少なくとも１つのタイプ：フレーム番号、サブフレーム番号、時間スロット番号、サブフレームグループ番号、サブフレーム期間およびサブフレームオフセット。
【０１２４】
代替的に、位置生成情報はさらにセル識別子を使用してもよい。
【０１２５】
本実施形態の基地局は、特にリソース位置を決定するときに、図１に示した方法の実施形態で使用される解決策２を実行するように構成されていてもよく、本実施形態の実現の原理および技術的な効果は、方法の実施形態のものに類似しているが、ここではこれ以上説明しない。
【０１２６】
図６は、本発明による基地局の実施形態４の概略的な構造図である。図６に示すように、本実施形態の基地局は、図３に示した基地局に基づいており、さらに、決定モジュール１１は、フレーム、サブフレーム、または時間スロット関連の情報にしたがって、非レガシーリソース上のＰＤＣＣＨの、サブフレーム上でのリソース位置を決定するように構成されている第３の決定ユニット１１３を含んでもよい。
【０１２７】
フレーム、サブフレーム、または時間スロット関連の情報は以下を含んでもよい：
以下の情報のうちの少なくとも１つのタイプ：フレーム番号、サブフレーム番号、時間スロット番号、サブフレームグループ番号、サブフレーム期間およびサブフレームオフセット。
【０１２８】
代替的に、位置生成情報はさらにセル識別子を使用してもよい。
【０１２９】
本実施形態の基地局は、特にリソース位置を決定するときに、図１に示した方法の実施形態で使用される解決策３を実行するように構成されていてもよく、本実施形態の実現の原理および技術的な効果は、方法の実施形態のものに類似しているが、ここではこれ以上説明しない。
【０１３０】
図７は、本発明による基地局の実施形態５の概略的な構造図である。図７に示すように、本実施形態の基地局は、図３に示した基地局に基づいており、さらに、ＵＥによって報告されたチャネル品質情報にしたがって、最良のチャネル品質およびより良好なチャネル品質を有する複数のサブバンドのうちの１つまたは複数のサブバンドを決定し、そのサブバンド上で、次の非レガシーリソース上のＰＤＣＣＨおよび次の非レガシーリソース上のＰＤＣＣＨに対応するＰＤＳＣＨを送信するように構成されている第１の調整モジュール１３を含む。さらに、第１の調整モジュール１３は、サブバンドのチャネル品質を検出し、チャネル品質が低下した場合、周波数ホッピング方法を再度使用して、次の非レガシーリソース上のＰＤＣＣＨのリソース位置を決定するようにさらに構成されている。
【０１３１】
本実施形態の基地局は、特にリソース位置を調整するときに、図１に示した方法の実施形態で使用される方法１を実行するように構成されていてもよく、本実施形態の実現の原理および技術的な効果は、方法の実施形態のものに類似しているが、ここではこれ以上説明しない。
【０１３２】
図８は、本発明による基地局の実施形態６の概略的な構造図である。図８に示すように、本実施形態の基地局は、図３に示した基地局に基づいており、ＵＥにより報告されたチャネル品質情報にしたがって、縮小された周波数ホッピング範囲を決定し、周波数ホッピング方法を使用することにより縮小された周波数ホッピング範囲中の次の非レガシーリソース上のＰＤＣＣＨのリソース位置を決定し、スケジューリング方法を使用することにより縮小された周波数ホッピング範囲中の次の非レガシーリソース上のＰＤＣＣＨに対応するＰＤＳＣＨのリソース位置を決定するように構成されている第２の調整モジュール１４をさらに含む。
【０１３３】
本実施形態の基地局は、特にリソース位置を調整するときに、図１に示した方法の実施形態で使用される方法２を実行するように構成されていてもよく、本実施形態の実現の原理および技術的な効果は、方法の実施形態のものに類似しているが、ここではこれ以上説明しない。
【０１３４】
図９は、本発明による基地局の実施形態７の概略的な構造図である。図９に示すように、本実施形態の基地局は、図３に示した基地局に基づいており、ＵＥにより報告された、サブフレームのすべてのサブバンド上のチャネル品質情報にしたがって、周波数ホッピング方法を使用することにより次の非レガシーリソース上のＰＤＣＣＨのリソース位置を決定し、スケジューリング方法を使用することにより次の非レガシーリソース上のＰＤＣＣＨに対応するＰＤＳＣＨのリソース位置を決定するように構成されている第３の調整モジュール１５をさらに含む。
【０１３５】
本実施形態の基地局は、特にリソース位置を調整するときに、図１に示した方法の実施形態で使用される方法３を実行するように構成されていてもよく、本実施形態の実現の原理および技術的な効果は、方法の実施形態のものに類似しているが、ここではこれ以上説明しない。
【０１３６】
図１０は、本発明によるユーザ機器の実施形態１の概略的な構造図である。図１０に示すように、本実施形態のＵＥは、受信モジュール２１および決定モジュール２２を備えてもよく、ここで、受信モジュール２１は、基地局により送られたサブフレームを受信するように構成され、サブフレームは、非レガシーリソース上のＰＤＣＣＨを含み、決定モジュール２２は、非レガシーリソース上のＰＤＣＣＨの位置生成情報にしたがって、非レガシーリソース上のＰＤＣＣＨの、サブフレーム上でのリソース位置を決定するように構成されている。
【０１３７】
本実施形態のＵＥは、図２に示した方法の実施形態の技術的解決策を実行するように構成されていてもよく、本実施形態の実現の原理および技術的な効果は、方法の実施形態のものに類似しているが、ここではこれ以上説明しない。
【０１３８】
特に、決定モジュール２２は、周波数ホッピング方法で、位置生成情報にしたがって、非レガシーリソース上のＰＤＣＣＨの、サブフレーム上でのリソース位置を決定するように特に構成されており、決定モジュール２２は、周波数ホッピング方法を使用することにより、非レガシーリソース上のＰＤＣＣＨに対応するＰＤＳＣＨのリソース位置を決定するようにさらに構成されている。
【０１３９】
図３に示した基地局を、複数の特定の実施形態を使用することにより以下で詳細に説明する。
【０１４０】
図１１は、本発明によるユーザ機器の実施形態２の概略的な構造図である。図１１に示すように、本実施形態のＵＥは、図１０に示したＵＥに基づいており、さらに、決定モジュール２２は、非レガシーリソース上のＰＤＣＣＨの位置情報を生成するのに使用される予め設定された値にしたがって、非レガシーリソース上のＰＤＣＣＨの、サブフレーム上でのリソース位置を決定するように構成されている第１の決定ユニット２２１を含む。
【０１４１】
本実施形態のＵＥは、特にリソース位置を決定するときに、図２に示した方法の実施形態で使用される解決策１を実行するように構成されていてもよく、本実施形態の実現の原理および技術的な効果は、方法の実施形態のものに類似しているが、ここではこれ以上説明しない。
【０１４２】
図１２は、本発明によるユーザ機器の実施形態３の概略的な構造図である。図１２に示すように、本実施形態のＵＥは図１０に示したＵＥに基づいており、さらに、決定モジュール２２は、非レガシーリソース上のＰＤＣＣＨの位置情報を生成するのに使用されるＵＥ関連の情報ならびに／あるいはフレーム、サブフレーム、または時間スロット関連の情報にしたがって、非レガシーリソース上のＰＤＣＣＨの、サブフレーム上でのリソース位置を決定するように構成されている第２の決定ユニット２２２を含む。
【０１４３】
ＵＥ関連の情報は以下を含んでもよい：
以下の情報のうちの少なくとも１つのタイプ：ＵＥ識別子、ＵＥグループ識別子、上位レベルにより通知されるＵＥ固有の値および上位レベルにより通知されるＵＥグループ固有の値。
【０１４４】
フレーム、サブフレーム、または時間スロット関連の情報は以下を含む：
以下の情報のうちの少なくとも１つのタイプ：フレーム番号、サブフレーム番号、時間スロット番号、サブフレームグループ番号、サブフレーム期間およびサブフレームオフセット。
【０１４５】
代替的に、位置生成情報はさらにセル識別子を使用してもよい。
【０１４６】
本実施形態のＵＥは、特にリソース位置を決定するときに、図２に示した方法の実施形態で使用される解決策２を実行するように構成されていてもよく、本実施形態の実現の原理および技術的な効果は、方法の実施形態のものに類似しているが、ここではこれ以上説明しない。
【０１４７】
図１３は、本発明によるユーザ機器の実施形態４の概略的な構造図である。図１３に示すように、本実施形態のＵＥは、図１０に示したＵＥに基づいており、さらに、決定モジュール２２は、フレーム、サブフレーム、または時間スロット関連の情報にしたがって、非レガシーリソース上のＰＤＣＣＨの、サブフレーム上でのリソース位置を決定するように構成されている第３の決定ユニット２２３を含む。
【０１４８】
フレーム、サブフレーム、または時間スロット関連の情報は以下を含む：
以下の情報のうちの少なくとも１つのタイプ：フレーム番号、サブフレーム番号、時間スロット番号、サブフレームグループ番号、サブフレーム期間およびサブフレームオフセット。
【０１４９】
代替的に、位置生成情報はさらにセル識別子を使用してもよい。
【０１５０】
本実施形態のＵＥは、特にリソース位置を決定するときに、図２に示した方法の実施形態で使用される解決策３を実行するように構成されていてもよく、本実施形態の実現の原理および技術的な効果は、方法の実施形態のものに類似しているが、ここではこれ以上説明しない。
【０１５１】
図１４は、本発明によるユーザ機器の実施形態５の概略的な構造図である。図１４に示すように、本実施形態のＵＥは、図１０に示したＵＥに基づいており、さらに、非レガシーリソース上のＰＤＣＣＨが位置する各サブバンド上でチャネル測定を行い、各サブバンドのチャネル品質情報を取得し、基地局にチャネル品質情報を送るように構成されているチャネル測定モジュール２３を含む。決定モジュール２２は、チャネル品質情報にしたがって決定された最良のチャネル品質およびより良好なチャネル品質を有する複数のサブバンドのうちの１つまたは複数のサブバンド上で、次の非レガシーリソース上のＰＤＣＣＨおよび次の非レガシーリソース上のＰＤＣＣＨに対応するＰＤＳＣＨを受信するか、あるいは、チャネル品質情報にしたがって縮小された周波数ホッピング範囲上または周波数ホッピング方法を使用することにより全周波数範囲上で、基地局により送られた次の非レガシーリソース上のＰＤＣＣＨを受信するようにさらに構成されている。
【０１５２】
さらに、決定モジュール２２は、非レガシーリソース上のＰＤＣＣＨに含まれるＰＤＳＣＨのリソース位置指示情報にしたがって、ＰＤＳＣＨのリソース位置を決定し、さらに、周波数ホッピング方法にしたがって、レガシーリソース上のＰＤＣＣＨのリソース位置を除くサブフレーム上の位置での拡張ＰＨＩＣＨのリソース位置を決定するようにさらに構成されており、ここで、リソース位置指示情報は、非レガシーリソース上のＰＤＣＣＨと比較したＰＤＳＣＨの位置オフセットを示す。
【０１５３】
本実施形態のＵＥは、特にリソース位置を調整するときに、図２に示した方法の実施形態で使用される３つの方法を実行するように構成されていてもよく、本実施形態の実現の原理および技術的な効果は、方法の実施形態のものに類似しているが、ここではこれ以上説明しない。
【０１５４】
実施形態８：データ送信方法。ダウンリンク制御情報は、非レガシーリソース上のＰＤＣＣＨで送信され、ここで、ダウンリンク制御情報は、次の非レガシーリソース上のＰＤＣＣＨのリソース位置情報を含む。すなわち、このサブフレームで送られるダウンリンク制御情報が位置する非レガシーリソース上のＰＤＣＣＨのリソース位置は、非レガシーリソース上のＰＤＣＣＨの動的スケジューリング利得を得ることができるように、以前のダウンリンク制御情報で示されている。さらに、先述の方法の前に、ダウンリンク制御情報が送られるか、または、媒体アクセス制御プロトコルデータユニット（以下、略してＭＡＣ  ＰＤＵ：Ｍｅｄｉｕｍ  Ａｃｃｅｓｓ  Ｃｏｎｔｒｏｌ  Ｐｒｏｔｏｃｏｌ  Ｄａｔａ  Ｕｎｉｔとする）が非レガシーリソース上のＰＤＣＣＨの予め設定されたリソース位置で送られ、ここで、ＭＡＣ  ＰＤＵは、次の非レガシーリソース上のＰＤＣＣＨのリソース位置情報を含む。ＭＡＣ  ＰＤＵは、ランダムアクセス応答（以下、略してＲＡＲ：Ｒａｎｄｏｍ  Ａｃｃｅｓｓ  Ｒｅｓｐｏｎｓｅとする）のＭＡＣ  ＰＤＵであってもよく、新しく規定された別のＭＡＣ  ＰＤＵであってもよい。本実施形態では、ＲＡＲのＭＡＣ  ＰＤＵを例として特定の説明を行うが、本実施形態の方法はＲＡＲのＭＡＣ  ＰＤＵに限定されない。ＲＡＲの送られたＭＡＣ  ＰＤＵ中の次の非レガシーリソース上のＰＤＣＣＨのリソース位置情報は、以下の複数のタイプのうちの１つであってもよい：
１．次の非レガシーリソース上のＰＤＣＣＨのリソース位置情報は、送られたＭＡＣ  ＲＡＲ中の一時的なセル無線ネットワーク一時識別子（以下、略してＴＣ−ＲＮＴＩ：Ｔｅｍｐｏｒａｒｙ  ｃｅｌｌ−Ｒａｄｉｏ  Ｎｅｔｗｏｒｋ  Ｔｅｍｐｏｒａｒｙ  Ｉｄｅｎｔｉｆｉｅｒとする）の関数であり、ここで、この関数はシステムによって予め設定される。代替的に、次の非レガシーリソース上のＰＤＣＣＨのリソース位置情報と送られたＭＡＣ  ＲＡＲ中のＴＣ−ＲＮＴＩの関数との間に対応関係が存在し、この対応関係はシステムによって予め設定される。例えば、インターバル中のＴＣ−ＲＮＴＩは非レガシーリソース上のＰＤＣＣＨのリソース位置に対応する。
【０１５５】
２．次の非レガシーリソース上のＰＤＣＣＨのリソース位置を示すために、ＭＡＣ  ＰＤＵのＭＡＣ  ＲＡＲ中の空きビットが使用される。例えば、非レガシーリソース上のＰＤＣＣＨの２つの予め設定されたリソース位置があり、１つの空きビットが２つの予め設定されたリソース位置のうちの予め設定されたリソース位置を示す。空きビットと、非レガシーリソース上のＰＤＣＣＨの２つの予め設定されたリソース位置との間の対応関係はシステムによって予め設定される。
【０１５６】
３．ＭＡＣ  ＰＤＵのＭＡＣヘッダにサブヘッダが追加され、サブヘッダ中のランダムアクセスプリアンブル識別子（以下、略してＲＡＰＩＤ：Ｒａｎｄｏｍ  Ａｃｃｅｓｓ  Ｐｒｅａｍｂｌｅ  ＩＤｅｎｔｉｆｉｅｒとする）ドメインが、特殊なランダムアクセスシーケンスを示し、特殊なランダムシーケンスはブロードキャストメッセージを通じて通知されてもよく、または、システムによって予め設定されてもよい。サブヘッダに対応するＭＡＣ  ＲＡＲは、次の非レガシーリソース上のＰＤＣＣＨのリソース位置情報を含む。さらに、ＭＡＣ  ＲＡＲは、ビットを節約するために、ＭＡＣ  ＰＤＵ全体の最後に配置されてもよい。
【０１５７】
４．次の非レガシーリソース上のＰＤＣＣＨのリソース位置情報は、ＭＡＣ  ＰＤＵのいずれかの位置に配置される。配置される位置は、システムにより予め設定される。
【０１５８】
実施形態９：データ受信方法。ダウンリンク制御情報は、非レガシーリソース上のＰＤＣＣＨで受信され、ここで、ダウンリンク制御情報は、次の非レガシーリソース上のＰＤＣＣＨのリソース位置情報を含む。すなわち、このサブフレームで受信したダウンリンク制御情報が位置する非レガシーリソース上のＰＤＣＣＨのリソース位置は、非レガシーリソース上のＰＤＣＣＨの動的スケジューリング利得を得ることができるように、以前のダウンリンク制御情報で示されている。さらに、先述の方法の前に、ダウンリンク制御情報を受信するか、または、非レガシーリソース上のＰＤＣＣＨの予め設定されたリソース位置でＭＡＣ  ＰＤＵを受信し、ここで、ＭＡＣ  ＰＤＵは、次の非レガシーリソース上のＰＤＣＣＨのリソース位置情報を含む。ＭＡＣ  ＰＤＵは、ＲＡＲのＭＡＣ  ＰＤＵであってもよく、新しく規定された別のＭＡＣ  ＰＤＵであってもよい。本実施形態では、ＲＡＲのＭＡＣ  ＰＤＵを例として特定の説明を行うが、本実施形態の方法はＲＡＲのＭＡＣ  ＰＤＵに限定されない。ＲＡＲの受信したＭＡＣ  ＰＤＵ中の次の非レガシーリソース上のＰＤＣＣＨのリソース位置情報は、以下の複数のタイプのうちの１つであってもよい：
１．次の非レガシーリソース上のＰＤＣＣＨのリソース位置情報は、受信したＭＡＣ  ＲＡＲ中のＴＣ−ＲＮＴＩの関数であり、ここで、この関数はシステムによって予め設定される。代替的に、次の非レガシーリソース上のＰＤＣＣＨのリソース位置情報と受信したＭＡＣ  ＲＡＲ中のＴＣ−ＲＮＴＩの関数との間に対応関係が存在し、この対応関係はシステムによって予め設定される。例えば、インターバル中のＴＣ−ＲＮＴＩは非レガシーリソース上のＰＤＣＣＨのリソース位置に対応する。
【０１５９】
２．受信したＭＡＣ  ＰＤＵのＭＡＣ  ＲＡＲ中の空きビットが、次の非レガシーリソース上のＰＤＣＣＨのリソース位置を示す。例えば、非レガシーリソース上のＰＤＣＣＨの２つの予め設定されたリソース位置があり、１つの空きビットが２つの予め設定されたリソース位置のうちの予め設定されたリソース位置を示す。空きビットと、非レガシーリソース上のＰＤＣＣＨの２つの予め設定されたリソース位置との間の対応関係はシステムによって予め設定される。
【０１６０】
３．受信したＭＡＣ  ＰＤＵのＭＡＣヘッダにサブヘッダが追加され、サブヘッダ中のＲＡＰＩＤドメインが、特殊なランダムアクセスシーケンスを示し、特殊なランダムシーケンスはブロードキャストメッセージを受信することにより取得してもよく、または、システムによって予め設定されてもよい。サブヘッダに対応するＭＡＣ  ＲＡＲは、次の非レガシーリソース上のＰＤＣＣＨのリソース位置情報を含む。
【０１６１】
４．次の非レガシーリソース上のＰＤＣＣＨのリソース位置情報は、ＭＡＣ  ＰＤＵの予め設定された位置で受信される。
【０１６２】
実施形態１０：基地局。本実施形態の基地局は、送信モジュールを含む。送信モジュールは、非レガシーリソース上のＰＤＣＣＨでダウンリンク制御情報を送信するように構成され、ここで、ダウンリンク制御情報は、次の非レガシーリソース上のＰＤＣＣＨのリソース位置情報を含む。すなわち、このサブフレームで基地局により送られるダウンリンク制御情報が位置する非レガシーリソース上のＰＤＣＣＨのリソース位置は、非レガシーリソース上のＰＤＣＣＨの動的スケジューリング利得を得ることができるように、以前のダウンリンク制御情報で示されている。本実施形態の基地局は、次の非レガシーリソース上のＰＤＣＣＨの送られたリソース位置情報を記憶する。さらに、先述の方法の前に、本実施形態の基地局は、ダウンリンク制御情報を送るか、または、非レガシーリソース上のＰＤＣＣＨの予め設定されたリソース位置でＭＡＣ  ＰＤＵを送り、ここで、ＭＡＣ  ＰＤＵは、次の非レガシーリソース上のＰＤＣＣＨのリソース位置情報を含む。ＭＡＣ  ＰＤＵは、ＲＡＲのＭＡＣ  ＰＤＵであってもよく、新しく規定された別のＭＡＣ  ＰＤＵであってもよい。本実施形態では、ＲＡＲのＭＡＣ  ＰＤＵを例として特定の説明を行うが、本実施形態の方法はＲＡＲのＭＡＣ  ＰＤＵに限定されない。本実施形態の基地局により送られたＲＡＲのＭＡＣ  ＰＤＵ中の次の非レガシーリソース上のＰＤＣＣＨのリソース位置情報は、以下の複数のタイプのうちの１つであってもよい：
１．次の非レガシーリソース上のＰＤＣＣＨのリソース位置情報は、本実施形態の基地局により送られたＭＡＣ  ＲＡＲ中のＴＣ−ＲＮＴＩの関数であり、ここで、この関数はシステムによって予め設定される。代替的に、次の非レガシーリソース上のＰＤＣＣＨのリソース位置情報と本実施形態の基地局により送られたＭＡＣ  ＲＡＲ中のＴＣ−ＲＮＴＩの関数との間に対応関係が存在し、この対応関係はシステムによって予め設定される。例えば、インターバル中のＴＣ−ＲＮＴＩは非レガシーリソース上のＰＤＣＣＨのリソース位置に対応する。
【０１６３】
２．本実施形態の基地局は、次の非レガシーリソース上のＰＤＣＣＨのリソース位置を示すために、ＭＡＣ  ＰＤＵのＭＡＣ  ＲＡＲ中の空きビットを採用する。例えば、非レガシーリソース上のＰＤＣＣＨの２つの予め設定されたリソース位置があり、１つの空きビットが２つの予め設定されたリソース位置のうちの予め設定されたリソース位置を示す。空きビットと、非レガシーリソース上のＰＤＣＣＨの２つの予め設定されたリソース位置との間の対応関係はシステムによって予め設定される。
【０１６４】
３．本実施形態の基地局は、ＭＡＣ  ＰＤＵのＭＡＣヘッダにサブヘッダを追加し、サブヘッダ中のＲＡＰＩＤドメインが、特殊なランダムアクセスシーケンスを示し、特殊なランダムシーケンスはブロードキャストメッセージを通じて通知されてもよく、または、システムによって予め設定されてもよい。サブヘッダに対応するＭＡＣ  ＲＡＲは、次の非レガシーリソース上のＰＤＣＣＨのリソース位置情報を含む。さらに、本実施形態の基地局は、ビットを節約するためにＭＡＣ  ＲＡＲをＭＡＣ  ＰＤＵ全体の最後に配置してもよい。
【０１６５】
４．本実施形態の基地局は、次の非レガシーリソース上のＰＤＣＣＨのリソース位置情報をＭＡＣ  ＰＤＵのいずれかの位置に配置する。配置される位置は、システムにより予め設定される。
【０１６６】
実施形態１１：ユーザ機器。本実施形態のユーザ機器は、受信モジュールを含む。受信モジュールは、非レガシーリソース上のＰＤＣＣＨでダウンリンク制御情報を受信するように構成されており、ここで、ダウンリンク制御情報は、次の非レガシーリソース上のＰＤＣＣＨのリソース位置情報を含む。すなわち、このサブフレームでユーザ機器により受信されたダウンリンク制御情報が位置する非レガシーリソース上のＰＤＣＣＨのリソース位置は、非レガシーリソース上のＰＤＣＣＨの動的スケジューリング利得を得ることができるように、以前のダウンリンク制御情報で示されている。本実施形態のユーザ機器は、次の非レガシーリソース上のＰＤＣＣＨの受信したリソース位置情報を記憶する。さらに、先述の方法の前に、本実施形態のユーザ機器は、ダウンリンク制御情報を受信するか、または非レガシーリソース上のＰＤＣＣＨの予め設定されたリソース位置でＭＡＣ  ＰＤＵを受信し、ここで、ＭＡＣ  ＰＤＵは、次の非レガシーリソース上のＰＤＣＣＨのリソース位置情報を含む。ＭＡＣ  ＰＤＵは、ＲＡＲのＭＡＣ  ＰＤＵであってもよく、新しく規定された別のＭＡＣ  ＰＤＵであってもよい。本実施形態では、ＲＡＲのＭＡＣ  ＰＤＵを例として特定の説明を行うが、本実施形態の方法はＲＡＲのＭＡＣ  ＰＤＵに限定されない。本実施形態のユーザ機器により受信されるＲＡＲのＭＡＣ  ＰＤＵ中の次の非レガシーリソース上のＰＤＣＣＨのリソース位置情報は、以下の複数のタイプのうちの１つであってもよい：次の非レガシーリソース上のＰＤＣＣＨのリソース位置情報は、本実施形態のユーザ機器により受信されたＭＡＣ  ＲＡＲ中のＴＣ−ＲＮＴＩの関数であり、ここで、この関数はシステムによって予め設定される。代替的に、次の非レガシーリソース上のＰＤＣＣＨのリソース位置情報と本実施形態のユーザ機器により受信されたＭＡＣ  ＲＡＲ中のＴＣ−ＲＮＴＩの関数との間に対応関係が存在し、この対応関係はシステムによって予め設定される。例えば、インターバル中のＴＣ−ＲＮＴＩは非レガシーリソース上のＰＤＣＣＨのリソース位置に対応する。
【０１６７】
本実施形態のユーザ機器により受信されたＭＡＣ  ＰＤＵのＭＡＣ  ＲＡＲ中の空きビットが,次の非レガシーリソース上のＰＤＣＣＨのリソース位置を示す。例えば、非レガシーリソース上のＰＤＣＣＨの２つの予め設定されたリソース位置があり、１つの空きビットが２つの予め設定されたリソース位置のうちの予め設定されたリソース位置を示す。空きビットと、非レガシーリソース上のＰＤＣＣＨの２つの予め設定されたリソース位置との間の対応関係はシステムによって予め設定される。
【０１６８】
本実施形態のユーザ機器により受信されたＭＡＣ  ＰＤＵのＭＡＣヘッダにサブヘッダが追加され、サブヘッダのＲＡＰＩＤドメインが、特殊なランダムアクセスシーケンスを示し、特殊なランダムシーケンスはブロードキャストメッセージを受信することにより本実施形態のユーザ機器により取得されてもよく、または、システムによって予め設定されてもよい。サブヘッダに対応するＭＡＣ  ＲＡＲは、次の非レガシーリソース上のＰＤＣＣＨのリソース位置情報を含む。
【０１６９】
本実施形態のユーザ機器は、次の非レガシーリソース上のＰＤＣＣＨのリソース位置情報を、ＭＡＣ  ＰＤＵの予め設定された位置で受信する。
【０１７０】
当業者は、本実施形態の方法のステップのすべてまたは一部が、関連ハードウェアに命令するプログラムによって実現され得ることを理解し得る。プログラムは、コンピュータ読取可能記憶媒体に記憶されてもよい。プログラムが実行されるときに、本実施形態の方法の先述のステップが実行される。記憶媒体は、ＲＯＭ、ＲＡＭ、磁気ディスクまたは光ディスクのような、プログラムコードを記憶可能ないずれかの媒体であってもよい。
【０１７１】
最後に、先述の実施形態は、本発明を限定するのではなく本発明の技術的解決策を記述することを意図しているに過ぎないことに留意すべきである。先述の実施形態を参照して本発明を詳細に記述したが、当業者は、本発明の実施形態の技術的解決策の範囲から逸脱することなく、先述の実施形態に記述された技術的解決策になお修正を加えることができ、または、これらの技術的特徴の一部に対して同等の置換を行うことができることを理解すべきである。
【図１】
0005937699.tif 000020
【図２】
0005937699.tif 000021
【図３】
0005937699.tif 000022
【図４】
0005937699.tif 000023
【図５】
0005937699.tif 000024
【図６】
0005937699.tif 000025
【図７】
0005937699.tif 000026
【図８】
0005937699.tif 000027
【図９】
0005937699.tif 000028
【図１０】
0005937699.tif 000029
【図１１】
0005937699.tif 000030
【図１２】
0005937699.tif 000031
【図１３】
0005937699.tif 000032
【図１４】
0005937699.tif 000033